(57)【要約】  【課題】下記の条件を満たす、過酸化水素を用いたパーマ第２液を提供すること：  （１）臭素酸ナトリウム系第２液とほぼ同等のウェーブ弾力を毛髪に与える。  （２）毛髪損傷が少ない。  （３）過酸化水素系第２液における他の利点(施術時間が5分以内、パーマ施術後のパーマ臭もなくウェーブの保ちが良いなど)はそのまま維持する。  【解決手段】パーマネントウェーブ第１剤で処理した毛髪に対して、過酸化水素を用いた第２液を用いる際に、ポリビニルピロリドンを当該毛髪に対して用いることにより上記の課題解決し得ること見いだした。具体的には、過酸化水素及びポリビニルピロリドンを含有するパーマネントウェーブ第２剤、又は、過酸化水素を含有する剤（Ａ）とポリビニルピロリドンを含有する剤（Ｂ）を含むパーマネントウェーブ第２剤のプレセットを提供することにより、上記の課題が解決される。  【選択図】  なし【特許請求の範囲】
【請求項１】
過酸化水素及びポリビニルピロリドンを含有する、パーマネントウェーブ第２剤。
【請求項２】
過酸化水素の含有量が剤の０．５〜３．０質量％である、請求項１記載のパーマネントウェーブ第２剤。
【請求項３】
ポリビニルピロリドンの分子量が５０００〜２００００００である、請求項１又は２記載のパーマネントウェーブ第２剤。
【請求項４】
ポリビニルピロリドンの含有量が剤の０．０５〜２０質量％である、請求項１〜３のいずれかに記載のパーマネントウェーブ第２剤。
【請求項５】
剤のｐＨが２．０〜５．０の範囲である、請求項１〜４のいずれかに記載のパーマネントウェーブ第２剤。
【請求項６】
過酸化水素を含有する剤（Ａ）とポリビニルピロリドンを含有する剤（Ｂ）を含む、前記パーマネントウェーブ第２剤のプレセット。
【請求項７】
過酸化水素の含有量が剤（Ａ）と（Ｂ）の質量和の０．５〜３．０質量％である、請求項６記載のパーマネントウェーブ第２剤のプレセット。
【請求項８】
ポリビニルピロリドンの分子量が５０００〜２００００００である、請求項６又は７記載のパーマネントウェーブ第２剤のプレセット。
【請求項９】
ポリビニルピロリドンの含有量が剤（Ａ）と（Ｂ）の質量和の０．０５〜２０質量％である、請求項６〜８のいずれかに記載のパーマネントウェーブ第２剤のプレセット。
【請求項１０】
用時混合した前記パーマネントウェーブ第２剤のプレセットの剤（Ａ）と（Ｂ）の混合液を、パーマネントウェーブ第１剤により処理した毛髪に接触させて、当該毛髪のパーマネント処理を行う、パーマネントウェーブ剤を用いた施術方法。
【請求項１１】
パーマネントウェーブ第１剤により処理した毛髪に対して、前記パーマネントウェーブ第２剤のプレセットの剤（Ｂ）を付着させた後で、同剤（Ａ）を当該毛髪に接触させて、当該毛髪のパーマネント処理を行う、パーマネントウェーブ剤を用いた施術方法。
【請求項１２】
パーマネントウェーブ第１剤により処理した毛髪に対して、過酸化水素とポリビニルピロリドンを接触させてパーマネントウェーブ処理を行う、パーマネントウェーブの方法。
【発明の詳細な説明】
【技術分野】
【０００１】
本発明は、第１剤と第２剤からなる２剤型のパーマネントウェーブ剤の第２剤に関する発明である。
【背景技術】
【０００２】
２剤型のパーマネントウェーブ剤は、カールを巻き付けた状態の毛髪を、第１剤の還元作用によりＳ−Ｓ結合を切断した後、酸化作用を有する第２剤により、当該毛髪を所望のスタイルに固定する毛髪用剤である。
【０００３】
現在、日本ではヒトの頭髪に使用されているパーマネントウェーブ剤第２剤（以下、パーマ第２剤ともいう）の主成分である酸化剤として、臭素酸ナトリウムや過酸化水素が挙げられる。
【０００４】
これらのうち臭素酸ナトリウムは酸化電位が比較的低く、パーマ第１剤処理で生成された還元毛髪への作用がマイルドであり、過剰な酸化作用による毛髪損傷が少なく、弾力のあるウェーブを形成するという利点が挙げられる。
【０００５】
しかしながら、臭素酸ナトリウムは、下記の問題点が認められている。
（１）人体に対する安全性に懸念が認められる。
（２）無機塩であるため毛髪内部への拡散が遅く、パーマ第２剤の施術時間が一般に１０〜１５分と長くなってしまう。
（３）またパーマ第２剤施術後に、毛髪にパーマ臭（硫化水素やメチルメルカプタンなどの還元性イオウ成分)が残ることもあり、さらに、ロングヘアの場合には、パーマ後ウェーブがとれやすくなる傾向がある。
【０００６】
他方、過酸化水素は、人体に対し、臭素酸ナトリウムに比べると安全であり、パーマ第２剤の施術時間が５分以内と短時間であり、かつ、パーマ施術後のパーマ臭も認められず、ウェーブの保ちが良いなど、多くの利点が認められる。しかしながら、酸化電位が高いために、パーマ第１剤処理で生成された還元毛髪への過酸化水素の作用が強すぎて、システイン酸の生成、毛髪中のメラニン色素に対するブリーチ作用などにより毛髪が損傷されやすく、さらに、形成されたウェーブの弾力が少ない等の問題点が認められている。
【特許文献１】独国特許発明第１０４３９８９Ａ号明細書
【特許文献２】米国特許第９１６９４１６９Ａ号明細書
【発明の開示】
【発明が解決しようとする課題】
【０００７】
本発明は、過酸化水素を用いたパーマ第２剤における、上記の問題点を解決する手段を提供することにあり、具体的には、下記の事項を目的とするものである。
（１）臭素酸ナトリウム系パーマ第２剤とほぼ同等のウェーブ弾力を毛髪に与える。
（２）毛髪損傷が少ない。
（３）過酸化水素系のパーマ第２剤における他の利点(施術時間が5分以内、パーマ施術後のパーマ臭もなくウェーブの保ちが良いなど)はそのまま維持する。
【課題を解決するための手段】
【０００８】
本発明者は、過酸化水素を用いたパーマ第２剤において、ポリビニルピロリドンを用いることにより、上記の課題を解決し得ることを見いだした。
【０００９】
すなわち、本発明は、パーマネントウェーブ第１剤により処理した毛髪に対して、過酸化水素とポリビニルピロリドンを接触させてパーマネントウェーブ処理を行う、パーマネントウェーブの方法を提供する発明であり、当該方法は、下記のパーマネントウェーブ第２剤、又は、パーマネントウェーブ第２剤プレセットを用いることにより行うことができる。
【００１０】
よって、本発明は、過酸化水素及びポリビニルピロリドンを含有するパーマネントウェーブ第２剤（以下、本パーマ第２剤ともいう）を提供する発明である。
【００１１】
さらに、本発明は、過酸化水素を含有する剤（Ａ）とポリビニルピロリドンを含有する剤（Ｂ）を含む、前記パーマネントウェーブ第２剤のプレセット（以下、本プレセットともいう）を提供する発明である。
【００１２】
ここで、「パーマネントウェーブ第２剤のプレセット」とは、当該プレセットの構成要素となっている別個の剤同士を混合することでパーマ第２剤を調製することができる、２種以上の剤を構成要素として含む、剤のセットのことを意味する。  
【００１３】
本パーマ第２剤
上述したように、本パーマ第２剤は、過酸化水素とポリビニルピロリドンを必須含有成分とする、パーマネントウェーブ第２剤である。
【００１４】
本パーマ第２剤に含有させる過酸化水素の含有量は、剤の０．５〜３．０質量％が好適であり、特に好適には１．０〜２．５質量％である。この含有量が剤の０．５質量％未満であると、過酸化水素系のパーマネントウェーブ第２剤として効果を十分に発揮することが困難であり、３．０質量％を超えると、毛髪へのダメージが大きくなりすぎる。
【００１５】
本パーマ第２剤に含有させるポリビニルピロリドンの分子量は、５０００〜２００００００であることが好適である。この分子量が５０００未満では、本パーマ第２剤においてポリビニルピロリドンを含有させることによる効果が十分に発揮されず、２００００００を超えても、本パーマ第２剤においてポリビニルピロリドンを含有させることによる毛髪への弾性向上効果の増強が認められなくなり、かえって製剤の粘性が必要以上に大きくなる傾向が認められる。
【００１６】
ポリビニルピロリドンの本パーマ第２剤における含有量は、剤の０．０５〜２０質量％が好適である。さらに詳細には、本パーマ第２剤を、毛髪にウェーブを与えるために用いる場合には、剤の０．０５〜５．０質量％であることが特に好適である。また、本パーマ第２剤を、剤に粘性が要求される縮毛矯正剤として用いる場合には、剤の０．１〜２０質量％の範囲が特に好適である。
【００１７】
本パーマ第２剤のｐＨは、２．０〜５．０が好ましく、特に好ましくは２．５〜４．５である。剤のｐＨが２．０未満では、パーマネントウェーブ第２剤としての効果が弱くなり、５．０を超えると製剤が不安定化する傾向が認められる。ｐＨ調整剤は、特に限定されず、各種の緩衝液を用いることができるが、特に、リン酸、リン酸ナトリウム、カリウム塩等を組み合わせたリン酸緩衝液が好適である。
【００１８】
その他、本パーマ第２剤には、過酸化水素を含有するパーマネントウェーブ第２剤において、補助製剤として配合される成分を、本発明の効果を損なわない範囲内で、各々の成分の有効量配合することができる。
【００１９】
例えば、過酸化水素の安定剤として、微量の金属イオンを封鎖できる金属イオン封鎖剤（たとえばエデト酸やその塩、ＥＤＴＡ、スズ酸ナトリウム等）や、フェノキシエタノール、パラベン類等の防腐剤を配合することが好適である。
【００２０】
また、製剤の安定化、ウェーブ処理毛髪の感触やツヤ向上、さらに保湿性を向上させる等の目的から、ノニオン性活性剤、アニオン性活性剤、両性活性剤、カチオン性活性剤、ノニ才ン性高分子、アニオン性高分子、両性高分子、カチオン性高分子、脂肪アルコール、ポリシロキサン、アミノ変性ポリシロキサン、カルボキシ変性ポリシロキサン、グリコール変性ポリシロキサン、アルキル変性ポリシロキサン、ボリオール類、アミノ酸、ペプチド、ポリペプチド、炭化水素、エステル油、トリグリセリド、香料、色素等を、必要に応じて配合することができる。
【００２１】
本パーマ第２剤は、２液型のパーマネントウェーブ剤の第２剤として用いる剤であり、例えば、１）コールド二浴式パーマネントウェーブ方法の第２剤として、さらに、２）60℃以下で施術する加温二浴式パーマネントウェーブ方法の第２剤として使用される。また、３）施術する目的が髪にウェーブを持たせるウェーブ剤や、くせ毛を真直ぐにする縮毛矯正剤の第２剤として使用される。本パーマ第２剤の前提として用いられるパーマ第１剤の還元剤としては、例えば、チオグリコール酸やその塩、チオ乳酸やその塩、システインやその塩、N−アセチルシステイン、チオグリコール酸とグリセリンとのエステル、チオ乳酸とグリセリンとのエステル、システアミン塩および亜硫酸塩、亜硫酸水素塩等を用いることができる。
【００２２】
パーマ第１剤の毛髪ケラチンに対する還元作用は、以下の式（１）で説明される。
【００２３】
K-S-S-K  ＋  ２R-SH ←→  ２K-SH  ＋  R-S-S-R    （１）
［K-S-S-K ：毛髪ケラチン中のシスチン結合
R-SH ：パーマ剤第１剤中の還元剤（チオグリコール酸、チオ乳酸やシステインなど)
K-SH ：パーマ第１剤で還元処理された毛髪ケラチン中のシステイン残基
R−S−S−R ：還元剤が毛髪ケラチンに作用した後に、自分自身が酸化されて生成されたジスルフィド化合物］
【００２４】
この還元処理された毛髪ケラチンに対する、パーマ第２剤の作用は次式（２）で説明される。
【００２５】
2K-SH  +  H2O2  →  K-S-S-K  +  2H2O        （２）
［K-S-S-K ：パーマ第２剤の酸化剤（過酸化水素）で再生された毛髪ケラチン］
【００２６】
しかしながら、過酸化水素は強い酸化剤であるために、次式（３）のような反応も起きやすい。
【００２７】
K-SH  ＋  ３H２O２  →  K-SO３H  ＋  ３H2O    （３）
［K-SO３H：パーマ剤2液の酸化剤で過剰に酸化された毛髪ケラチン中のシステイン酸残基］
【００２８】
毛髪損傷が少なく弾力のあるウェーブが形成されるためには、反応(２)のみ進むことが理想的であるが、現実的には、過酸化水素を用いた場合、副反応である反応（３）が起こることが知られており、毛髪ケラチン中にシステイン酸残基が増え、毛髪強度が弱くなるなど毛髪は損傷され、またパーマ剤が目的とするウェーブ効果（特にウェーブの弾力)も弱いものとなる。
【００２９】
本発明においては、過酸化水素水溶液中にポリビニルピロリドンが存在するとピロリドン中のカルボニル基と、隣接するピロリドン中の三級アミンとの間に過酸化水素分子が入りこみ、強い水素結合が形成され過酸化水素分子の動きが制約されることが考えられる。
【００３０】
そのために、反応（３）が抑えられ、反応（２）が優先して起こるために、毛髪の損傷が抑えられ弾力のあるウェーブが形成されるものと考えられる。
【００３１】
このようにして本パーマ第２剤を用いることにより、過酸化水素のみを主成分としたパーマ第２剤を用いる場合よりも、毛髪損傷が少なく、弾力のあるウェーブの形成を行うことができる。
【００３２】
本プレセット
本プレセットは、過酸化水素を含有する剤（Ａ）とポリビニルピロリドンを含有する剤（Ｂ）を含む、パーマネントウェーブ第２剤としての使用を目的とする剤のセットである。
【００３３】
通常、本プレセットは、剤（Ａ）と（Ｂ）の組により構成される剤のセットである。
【００３４】
剤（Ａ）は、過酸化水素を含有する剤であり、剤（Ａ）における過酸化水素の含有量は、上述した本パーマ第２剤に準じて、剤（Ａ）と（Ｂ）の質量和の０．５〜３．０質量％であることが好適であり、特に好適には１．０〜２．５質量％である。
【００３５】
剤（Ａ）中には、通常の過酸化水素を配合した通常のパーマ第２剤に含有させることが可能な他の成分を配合させることができる。すなわち、上述した本パーマ第２剤と同様に、例えば、過酸化水素の安定剤として、微量の金属イオンを封鎖できる金属イオン封鎖剤や、フェノキシエタノール、パラベン類等の防腐剤を配合することが好適である。さらに、製剤の安定化、ウェーブ処理毛髪の感触やツヤ向上、さらに保湿性を向上させる等の目的から、ノニオン性活性剤、アニオン性活性剤、両性活性剤、カチオン性活性剤、ノニ才ン性高分子、アニオン性高分子、両性高分子、カチオン性高分子、脂肪アルコール、ポリシロキサン、アミノ変性ポリシロキサン、カルボキシ変性ポリシロキサン、グリコール変性ポリシロキサン、アルキル変性ポリシロキサン、ボリオール類、アミノ酸、ペプチド、ポリペプチド、炭化水素、エステル油、トリグリセリド、香料、色素等を、必要に応じて配合することができる。
【００３６】
剤（Ｂ）は、ポリビニルピロリドンを含有する剤であり、このポリビニルピロリドンは、本パーマ第２剤に準じ、分子量が５０００〜２００００００であることが好適である。また、剤（Ｂ）におけるポリビニルピロリドンの含有量は、上述した本パーマ第２剤に準じて、剤（Ａ）と（Ｂ）の質量和の０．０５〜２０質量％が好適である。すなわち、毛髪にウェーブを与える態様の場合には、剤（Ａ）と（Ｂ）の質量和の０．０５〜５．０質量％であることが特に好適であり、剤に粘性が要求される縮毛矯正剤としての態様の場合には、０．１〜２０質量％の範囲が特に好適である。
【００３７】
本プレセットは、具体的には、下記（１）又は（２）のように用いることにより、上述した本パーマ第２剤を用いた場合と実質的に同一の効果、すなわち、過酸化水素のみを主成分としたパーマ第２剤を用いる場合よりも、毛髪損傷が少なく、弾力のあるウェーブの形成を行うことが可能である。
【００３８】
（１）用時混合した本プレセットの剤（Ａ）と（Ｂ）の混合液を、パーマ第１剤により処理した毛髪に接触させて、当該毛髪のパーマネント処理を行う方法。
【００３９】
（２）パーマ第１剤により処理した毛髪に対して、本プレセットの剤（Ｂ）を付着させた後で、同剤（Ａ）を当該毛髪に接触させて、当該毛髪のパーマネント処理を行う方法。
【００４０】
方法（１）と（２）において、「パーマ第１剤により処理した毛髪」は、本パーマ第２剤の説明において開示した、当該処理毛髪と同一である。
【００４１】
また、方法（１）において「用時混合」とは、主に毛髪のパーマネント処理を行う美容院等において行われる行為であり、施術対象となる顧客等に対して、パーマ第１剤処理後、第２剤処理を行うタイミングと同時以前（パーマ第２剤使用時より２４時間以内、好適には３時間以内、さらに好適には１時間以内）に、剤（Ａ）と（Ｂ）を混合し、パーマ第２剤として用いることを意味する。
【発明の効果】
【００４２】
本発明により、過酸化水素を用いたパーマ第２剤において、毛髪損傷が少なく、弾力のあるウェーブの形成を行うことができる手段が提供される。
【発明を実施するための最良の形態】
【００４３】
以下、本発明の実施例を記載し、本発明をさらに具体的に説明するが、本実施例により本発明の範囲が限定されるものではない。なお、配合量を示す数値は、特に断らない限り、配合対象に対する質量％である。
【００４４】
[試験例１］ポリビニルピロリドン配合の効果
表１に示す組成のパーマ第１剤、表２に示す組成のパーマ第２剤を調製し、ウェーブ効果と毛髪損傷を評価した（表３）。評価は次の方法によった。
【００４５】
毛髪試料：
ヒトの毛髪（パーマ、カラー未処理毛)を、ソデイウムラウリルエーテルサルフェート1%水溶液で洗浄後、水で充分にリンスし、室温下で風乾させた。
【００４６】
ＴＳＭ：
毛髪2gを長さ１８cm、幅３cmになるように毛髪束を作製し、パーマ用ロッドを用い第１剤と第２剤でウェーブを形成させ、ウェーブの弾力を4名で官能評価し、この平均値を記録した。
【００４７】
・評点は以下の通りとした。
5点：非常に弾力がある。
4点：やや弾力がある。
3点：弾力がある。
2点：弾力がややない。
1点：弾力がない。
【００４８】
ウェーブ効果測定（ＴＴＴＣ）：
毛髪12本を、根元と毛先の方向をそろえて結び、結び口から根元の方向に１cmを残しカットした。さらに、結び目から毛先の方向に12cmを残しカットして毛髪束を作成した。
【００４９】
この毛髪束を、直径７．０mmガラス製ロッドに均一に巻きつけ、３０℃の第１剤２０ml中で１０分間浸漬処理し、直ちに流水で３０秒リンスし、第２剤２０ml中に３０℃、１０分間処理した。その後、水洗し、ガラス製ロッドから毛髪束を外し、水中に３０分間静置した。
【００５０】
毛髪束はウェーブのかかったヘアコイルとなり、ヘアコイルの直径dW〔mm〕を、ノギスを用いて測定する。次に、このヘアコイルの過剰な水分をふき取リ、吊るして、ヘアコイルの長さlw（mm）を、ノギスを用いて測定した。
【００５１】
さらにこのヘアコイルの下端に錘（０．０２２４ｇ）を付けて、再びヘアコイルの長さlwp（mm）を、ノギスを用いて測定した。
【００５２】
同一パーマ剤について、６毛髪束を用い、dw,lwおよびlwpは6個のデータの平均値を記録した。
【００５３】
ヘアコイル径dwは7.Omm以上の数値であり、dw値が小さいほど強いウェーブ効果とした。
【００５４】
ヘアコイル長lw,lwpは、１２cm以下の数値であり、値が小さいほどウェーブの弾力があるとした。
【００５５】
毛髪膨潤度の測定：
パーマ処理された毛髪束の結び目の下をカットし、長さ１２cmの部分を、２５℃、５０%ＲＨ下に１日以上放置させ、その後、精密天秤を用い質量を測定した(Ｗｄ)。その後、この毛髪を、精製水２０ml中に３０分浸漬した後、遠心分離機(５０００rpm、５分）で毛髪外の水分を取り除き、直ちに精密天秤を用い質量を測定した(Ww)。
【００５６】
膨潤度Ｓｗ（%）は以下の式で計算した。
【００５７】
Sw%=(Ww-Wd)/Wd×100%
膨潤度が小さいほど毛髪損傷は少ないとした。
【００５８】
ヘアコイルの弾力に関連するパラメータ(毛髪繊維の捩り剛性率G、曲げヤング率E)の計算
上記方法で測定した値、dw,lw,lwp、WdおよびWwを用い、毛髪繊維の捩り剛性率G、曲げヤング率Eを計算した。計算の基礎となるものは以下のコイルバネ式である。
【００５９】
ｌ=2PR2Ｌ（ｃｏｓ２α/２ＩＧ＋ｓｉｎ２α/ＩＥ）
［ｌ：コイルバネの長さ、P：コイルバネに掛かる加重、R：コイルバネの半径、L：コイルバネを形成する繊維の全長、α：コイルバネの繊維の水平面に対する角度、I=πｄ４/３２：慣性モーメント、d：繊維の直径］
【００６０】
【表１】
2005314291.tif 000002
【００６１】
【表２】
2005314291.tif 000003
【００６２】
【表３】
2005314291.tif 000004
【００６３】
本パーマ第２剤である、実施例１〜３は、参考例（ＨＯ−１）と比較し、過酸化水素にポリビニルピロリドン（ＰＶＰ）を加えた効果が、明らかに認められた。すなわち、ＰＶＰ配合によりlw、lwpは小さくなり、ヘアコイルの物性値GやEも大きくなるなどウェーブの弾力が向上したことが分かる。またSwが僅かに減少し毛髪損傷が抑制されていた。ＴＳＭにおいてもウェーブの弾力が向上していることが明らかになった。
【００６４】
参考例H0-1は、参考例BR-1よりもウェーブの弾力が少ないものであったが、PVP配合により実施例１〜３はたとえ5分処理でもBR-1(10分処理)と同等レベルの効果が得られた。
【００６５】
［試験例２］  各種高分子配合の効果
ＰＶＰ、ＰＶＰ誘導体およびその他の高分子を選び、パーマ第２剤中に配合して、ウェーブの弾力に対する効果を調べた。表４に、パーマ第２剤中に配合した主な高分子とその効果をまとめて示した。
【００６６】
【表４】
2005314291.tif 000005
【００６７】
試験例１で認められた、PVP配合による毛髪の弾力向上効果を評価するために、毛髪に吸着し易いカチオン性高分子〔マーコート100、マーコート550、HCポリマー、カチナールHC-200〕、PVPと同様なポリペプチド構造を持つポリリジンおよびPVP誘導体(PVP/VA  S630、HCポリマー)を配合したことによる毛髪の弾力向上効果を調べたが、いずれもPVPの効果に及ばなかった。
【００６８】
このことから、PVP配合による毛髪弾力の向上効果は際だって優れたものであることが判明した。PVPと過酸化水素分子の強い相互作用が主な原因と推測されるが、詳細は明らかではない。
【００６９】
[試験例３］  パーマ第１剤中の還元剤が異なったときの第２剤における効果についての検討
試験例１,２においては第１剤中の還元剤がチオグリコール酸アンモニウムであったが、本試験例では、他の還元剤として、チオ乳酸アンモニウム及び塩酸DL−システインを配合した第１剤に対する第２剤の効果を検討した。
【００７０】
表５に、チオ乳酸やシステインを配合したパーマ第１剤の処方を示した。
【００７１】
【表５】
2005314291.tif 000006
【００７２】
表６に、第１剤（TL-1,CYS-1）と、試験例１の第２剤［HO-1(参考例)、HO−3(実施例２)］との組合せによる効果を示した。
【００７３】
【表６】
2005314291.tif 000007
【００７４】
パーマ第１剤として強いウェーブ力が認められるTL-1(チオ乳酸)、弱いウェーブ力が認められるCYS-1(システイン)のいずれの場合においても、HO-3(過酸化水素＋PVP  K-30)の方が、HO-1(過酸化水素）よりも、毛髪におけるウェーブの弾力が認められ(lw,lwpが小さい)、ヘアコイルの物性としてG,Eの値も高く、かつ毛髪の膨潤度が小さく毛髪損傷が少ないことが判明した。
【００７５】
この試験例３により、パーマ第１剤の還元剤(チオグリコール酸、チオ乳酸、システイン)の違いにかかわらず、本パーマ第２剤は、ウェーブの弾力を向上させ、また毛髪損傷を少なくさせることが明らかになった。
【００７６】
以下に、パーマ第１剤と、これと組となる本パーマ第２剤の処方例を実施例として記載する。
【００７７】
［実施例４］
以下のパーマ第１、２剤を、常法により調製した。
【００７８】
（チオグリコール酸系パーマ第１剤）
配合成分 配合量（質量％）
チオグリコール酸アンモニウム液（５０％）                １３．５
ジチオジグリコール酸ジアンモニウム液（４０％）            ２．５
モノエタノールアミン                                      １．０
アンモニア水試薬特級（２８％）                          バランス
炭酸水素アンモニウム                                      ２．０
ＥＤＴＡ・３Ｎａ                                          ０．１
塩化セチルトリメチルアンモニウム（４０％）                ０．５
トーレシリコーン  ＳＭ８７０４Ｃ  ＊１                    ２．０
ポリオキシエチレン（２０ＥＯ）オレイルエーテル            ０．５
香料                                                      ０．１５
精製水                                                  バランス
合計                                                  １００．００
ｐＨ／２５℃（アンモニア水で調整）                        ８．８ 
＊１  アモジメチコーンエマルジョン  （株）トーレ・ダウコーニング社製
【００７９】
（本パーマ第２剤）
配合成分 配合量（質量％）
過酸化水素水試薬特級（３１％）                          ６．１５
リン酸水素２ナトリウム・１２水                          ０．０３
リン酸（８５％）                                        バランス
メチルパラベン                                          ０．０５
フェノキシエタノール                                    ０．５
ＥＤＴＡ・３Ｎａ                                        ０．１
ポリビニルピロリドン  K-30  ＊１                        １．０
塩化セチルトリメチルアンモニウム（４０％）              ０．５
精製水                                                バランス
合計                                                １００．００
ｐＨ／２５℃（リン酸で調整）                            ３．５
＊１  ＢＡＳＦ社製
【００８０】
パネル（女性  カラー毛、ミディアム）に、実施例４のパーマ第１,２剤を用いてパーマ施術を行った。第１剤塗布後、頭部にキャップを被せ、１０分経過後、約４０℃のぬるま湯でリンスし、タオルドライ後、第２剤を塗布して５分放置させた。ロッドアウト後に水洗し、仕上げた髪には、しなやかで弾力のあるウェーブが形成された。
【００８１】
〔実施例５〕
以下のパーマ第１、２剤を、常法により調製した。
（チオ乳酸系パーマ第１剤）
配合成分 配合量（質量％）
チオ乳酸アンモニウム液（６０％）                      １３．０
塩酸ＤＬ−システイン・１水和物                          ２．０
モノエタノールアミン                                    １．０
アンモニア水試薬特級（２８％）                        バランス
炭酸水素アンモニウム                                    ２．０
ＥＤＴＡ・３Ｎａ                                        ０．１
塩化セチルトリメチルアンモニウム（４０％）              ０．５
トーレシリコーン  ＳＭ８７０４Ｃ  ＊１                  ２．０
ポリオキシエチレン（２０ＥＯ）オレイルエーテル          ０．５
香料                                                    ０．１５
精製水                                                バランス
合計                                                １００．００
ｐＨ／２５℃（アンモニア水で調整）                      ９．０
＊１  アモジメチコーンエマルジョン  （株）トーレ・ダウコーニング社製
【００８２】
（過酸化水素系パーマ第２剤）
配合成分 配合量（質量％）
過酸化水素水試薬特級（３１％）                          ６．００
リン酸水素２ナトリウム・１２水                          ０．０３
リン酸（８５％）                                      バランス
メチルパラベン                                          ０．０５
フェノキシエタノール                                    ０．５
ＥＤＴＡ・３Ｎａ                                        ０．１
ポリビニルピロリドン  K-30                              １．０
塩化ジセチルジメチルアンモニウム液（７０％）            １．５
セトステアリルアルコール                                ０．３
精製水                                                バランス
合計                                                １００．００
ｐＨ／２５℃（リン酸で調整）                            ３．５ 
【００８３】
毛髪束(ブリーチ処理毛3ｇ)に、第１剤と第２剤を、それぞれ1O分、5分処理した。根元からウェーブがしっかりとかかりしなやかウェーブが形成された。
【００８４】
[実施例６]
以下のパーマ第１、２剤を、常法により調製した。
（システイン系パーマ第１剤）
配合成分 配合量（質量％）
塩酸ＤＬ−システイン・１水和物                            ６．５
チオグリコール酸アンモニウム液（５０％）                  ２．０
モノエタノールアミン                                      ３．０
アンモニア水試薬特級（２８％）                          バランス
ＥＤＴＡ・３Ｎａ                                          ０．１
セトステアリルアルコール                                  ０．５
塩化セチルトリメチルアンモニウム（４０％）                ０．５
ポリオキシエチレン（２０ＥＯ）セチルエーテル              ０．１
香料                                                      ０．１５
精製水                                                  バランス
合計                                                  １００．００
ｐＨはアンモニア水で調整し９．１とした。
【００８５】
（過酸化水素系パーマ第２剤）
配合成分 配合量（質量％）
過酸化水素水試薬特級（３１％）                          ６．５０
リン酸水素２ナトリウム・１２水                          ０．０３
リン酸（８５％）                                      バランス
メチルパラベン                                          ０．０５
フェノキシエタノール                                    ０．５
ＥＤＴＡ・３Ｎａ                                        ０．１
ポリビニルピロリドン  K-90  ＊１                        ３．０
塩化ジセチルジメチルアンモニウム液（７０％）            １．２
セトステアリルアルコール                                １．０
カチナールＨＣ−２００  ＊２                            ０．１
ジメチルポリシロキサン（２０ＣＳ）                      １．０
精製水                                                バランス
合計                                                １００．００
ｐＨ／２５℃（リン酸で調整）                            ３．５
＊１  ＢＡＳＦ社製
＊２  カチオン化セルロース  （株）東邦化学社製
【００８６】
毛髪束(ブリーチ処理毛、3g)に、第１剤と第２剤を、それぞれ15分、５分処理を行なった。その結果、弾力があり、つややかでしなやかなウェーブが形成された。 
【００８７】
［実施例７］
以下の縮毛矯正剤の第１、２剤を、常法により調製した。
（縮毛矯正剤の第１剤）
配合成分 配合量（質量％）
チオ乳酸モノエタノールアミン液（３５％）              １５．０
チオグリコール酸アンモニウム液（５０％）                ５．０
モノエタノールアミン                                    ３．０
アンモニア水試薬特級（２８％）                        バランス
ＥＤＴＡ・３Ｎａ                                        ０．１
グリセリン                                            １０．０
セトステアリルアルコール                                ２．５
塩化ステアリルトリメチルアンモニウム（８０％）          ０．５
ポリオキシエチレン（２０ＥＯ）セチルエーテル            ０．１
ジメチルポリシロキサン（６ＣＳ）                        １．０
香料                                                    ０．１５
精製水                                                バランス
合計                                                １００．００
ｐＨはアンモニア水で調整し９．０とした。
【００８８】
（過酸化水素系縮毛矯正剤第２剤）
配合成分 配合量（質量％）
過酸化水素水試薬特級（３１％）                          ６．５０
リン酸水素２ナトリウム・１２水                          ０．０３
リン酸（８５％）                                      バランス
メチルパラベン                                          ０．１
フェノキシエタノール                                    ０．５
ＥＤＴＡ・３Ｎａ                                        ０．１
ポリビニルピロリドン  K-90  ＊１                        ３．０
塩化ステアリルトリメチルアンモニウム（８０％）          １．０
セトステアリルアルコール                                ３．５
ベヘニルアルコール                                      １．０
ジメチルポリシロキサン（２０ＣＳ）                      １．０
精製水                                                バランス
合計                                                １００．００
ｐＨ／２５℃（リン酸で調整）                            ３．５
＊１  ＢＡＳＦ社製
【００８９】
僅かにくせのある毛髪に、酸化染毛剤処理(市販品赤色系、30℃、30分染色)を行なった毛髪束(5g)を水でぬらし、タオルドライ後第1剤５mlを均一に塗布後、約40℃下で10分放置し、流水で30秒間リンス、タオルドライ後、ヘアドライヤーで乾燥しストレート用アイロンを用いて、毛髪束をはさみながら均一に伸ばした。次に、この毛髪束に第2剤５mlを均一に塗布し、室温下５分間放置後、流水でよくリンスしてから、室内で自然に乾燥させた。
【００９０】
毛髪束は殆ど色落ちや変色がなく、くせ毛は完全に真直ぐになり、サラサラとしたつやのある毛髪に仕上がった。
【００９１】
［実施例８］
ポリビニルピロリドンK‐30の５％水溶液を調製した。実施例５の第１剤で毛髪束(ブリーチ毛３g)にパーマ処理を１０分行ない、水洗後に、このポリビニルピロリドン水溶液を当該毛髪束に塗布し５分放置した。次に、参考例のパーマ第２剤（HO-1：過酸化水素のみ)で、当該毛髪束を５分処理したところ、弾力のあるウェーブが形成された。